(57)【要約】      （修正有）【課題】窪地を埋め戻した後、内湾に住む多品種の生物による生態系連鎖の水質浄化能力を再生するための疑似あまもを組み込んだ繊維性蛇篭を提供する。【解決手段】消波・根固め効果が河川護岸工事で立証されている繊維製蛇篭に炭素繊維製擬似あまも（海草）を組み込むことで、本来なぎさで行われていた生態系の連鎖を促す水中環境を作り、壊滅状態の多品種の生物が生育可能な環境へ変える。【選択図】図１
0003185301.tif 000002
【実用新案登録請求の範囲】
【請求項１】
繊維製蛇篭網の網目に炭素繊維からなる疑似あまもの組紐を任意ピッチ並びに任意長さにて織り込んだ蛇篭を作り、該蛇篭にコンクリート塊などからなる中込材を充填して消波・根固めブロック蛇篭を形成し、該消波・根固めブロック蛇篭を浚渫窪地や洗堀窪地の埋め立て又は埋め戻し用資材として用いることを特徴とする疑似あまもを組み込んだ繊維製蛇篭。
【請求項２】
前記疑似あまもの組紐を織り込んだ蛇篭にコンクリート塊などからなる中込材を充填して消波・根固めブロック蛇篭を形成し、該消波・根固めブロック蛇篭は前記浚渫窪地や洗堀窪地の埋め立て又は埋め戻しに用いると共に、該消波・根固めブロック蛇篭は埋立岸壁前の潮下帯に沈床防波堤として敷設することにより人工あまも場を形成することを特徴とする請求項１に記載された疑似あまもを組み込んだ繊維製蛇篭。
【考案の詳細な説明】
【技術分野】
【０００１】
本考案は、擬似あまも（海藻）を組み込んだ繊維製蛇篭に関するものである。
【背景技術】
【０００２】
全国の内湾には、土砂採取によってできた浚渫窪地が多数存在し、この窪地には、生活排水や工業排水が淀み、生活排水や工業排水から発生する硫化水素水の貧酸素状態が危険な濃度となっており、浚渫窪地及び周辺海域の底生動物が死滅したり、潮流や風向きに誘発されて浚渫窪地の水が海水面に浮遊して発生する青潮による漁業への影響が問題視されている。
【０００３】
現在、陸域における排水処理や流入水の規制などの対策や、内湾の水質浄化能力を再評価する研究成果から干潟や藻場の保全や再生が検討されているが、長い時間を要する方策のみならず急ぎ浚渫窪地を埋め戻す重要性が指摘されるようになってきた。
【０００４】
一方、水際線にある岩場は寄せる波に洗われ岩肌が削られていた状態が自然であったが、現在、当該部分に人工的に構築されている土木構造物は、昭和５０年代から構築した消波堤に代表されるように、構築後３０年を経て砕波と引き波の洗堀から、基礎構造下の砂が吸い出しされて洗堀から、本体の土木構造を破壊する、所謂、洗堀窪地をいたるところに造ってしまっている。
【０００５】
また、上述した浚渫窪地に起因する現象は、埋め立てなど人々が河口域に生活の場を広げた結果であり、洗堀窪地の発生は、洪水対策で河川の水位調整をするために建設したダムにより、陸域の砂礫を海に流さず堰き止めてしまったことにも起因するもので、水際線を痩せさせて、自然界にも影響を及ぼしている。この自然界の連鎖が、自然のなぎさを海側で洗堀させ、なぎさ水域の減少によって藻場が極端に減少してきた。藻場の役割は、生態系連鎖の棲家のみならず、なぎさの砂礫を舞い上げたり吸い出したりする波の運動をしなやかに和らげる役割も担っていた。
【０００６】
斯くして、本考案は、擬似あまも（海藻）を組み込んだ繊維製蛇篭に関するものでありる。本考案は、繊維製蛇篭に炭素繊維製擬似あまもを組み込み、該炭素繊維製擬似あまもを組み込んだ繊維製蛇篭を浚渫窪地や洗堀窪地の埋め立て資材や、埋立後の人工あまも場育成資材として用いて人工藻場を形成し、なぎさの水域の保全を行い、しいては自然な藻場の育成を促し、更に海側の洗堀窪地の進出阻止や青潮の発生を防止するものである。
【考案の概要】
【考案が解決しようとする課題】
【０００７】
本考案が解決しようとする課題は、特に内湾など水際線にある自然界のあまも育成水域全てを対象として、極端に傷んだ浚渫窪地と洗堀窪地の周辺浅海域において、繊維製蛇篭に炭素繊維製擬似あまも（海藻）を組み込み、該炭素繊維製擬似あまもを組み込んだ繊維製蛇篭を浚渫窪地や洗堀窪地の埋め立て資材として用いたり、浚渫窪地や洗堀窪地の埋立後に人工あまも場の育成資材として用いて人工藻場を形成し、なぎさの水域の保全を行い、しいては自然な藻場の育成を促し、更に海側の洗堀窪地の進出阻止や青潮の発生を防止するものである。
【課題を解決するための手段】
【０００８】
本考案は、繊維製蛇篭網にコンクリート塊を充填して蛇篭を作り、該蛇篭に炭素繊維からなる擬似あまもを組み込んで消波・根固めブロック蛇篭となし、該消波・根固めブロック蛇篭を浚渫窪地や洗堀窪地の埋め戻し資材としたことにより、該炭素繊維製擬似あまもを組み込んだ繊維製蛇篭を浚渫窪地や洗堀窪地の埋め立て資材として用いたり、埋立後の人工あまも場の育成資材として用いて人工藻場を形成し、なぎさの水域の保全を行い、しいては自然な藻場の育成を促し、更に海側の洗堀窪地の進出阻止や青潮の発生を防止可能にした。
【０００９】
また、本考案においては、前記擬似あまもを組み込んだ消波・根固めブロック蛇篭を浚渫窪地や洗堀窪地の埋め戻し資材として用いるだけでなく、該浚渫窪地や洗堀窪地の埋め戻し後に埋立岸壁前の潮下帯に沈床防波堤として敷設して人工あまも場を創設する擬似あまもを組み込んだ繊維製蛇篭を提供した。
【考案の効果】
【００１０】
斯くして、本考案は、繊維製蛇篭網にコンクリート塊を充填して蛇篭を作り、該蛇篭に炭素繊維からなる擬似あまもを組み込んで消波・根固めブロック蛇篭となし、該消波・根固めブロック蛇篭にて人工藻場を形成することで、なぎさの水域の保全が可能になり、しいては、自然な藻場の育成を促し、更には海側の洗堀窪地の進出、拡大化を阻止する役割を担うことが可能となった。
【００１１】
海は日本の四方にあって、古来より日本人の共通の心の財産であり、文化と文明を育んできたが、高度経済成長の時代にあって、文明の域でこの５０年間は大いに活躍してきた。この５０年間目に見える活躍の影で、目に見えない影響が進み、今たくさんの問題が顕著に見えてきた。これからは、持続可能な時代へ変化させる必要があり、文化の域で海が活躍することが求められている。人工あまも場と人工なぎさの形成は、本来海が持っている姿を取り戻すために、極端に傷んだ場所に本考案の技術で保全、修復作業を迅速に行うもので、本考案の実施により洗堀窪地の進出、拡大化を阻止するだけでなく、青潮の発生原因を惹起する浚渫窪地の埋立、そして、浚渫窪地周辺の環境保全に大いに役立つ効果がある。
【００１２】
そして、本考案における人工あまも場や再生される自然の藻場の形成は、近海漁業の生産性を高め、豊かな海の恵みを国民にもたらす効果が期待できるものである。
【図面の簡単な説明】
【００１３】
【図１】本考案の繊維製蛇篭網を用いた消波・根固めブロック蛇篭を説明する側面図である。
【図２】本考案を実施した人工なぎさの一例を示す断面図である。
【考案を実施するための形態】
【００１４】
内湾に住む多品種の生物による生態系連鎖の水質浄化能力は、古来からの内海の埋立行為も含め、長い時間をかけて補正しながら、人と自然の共生が保たれてきたが、昭和３０年代以降の高度成長による内海の開発スピードは、自然界の補正能力が追いつかず生態系が再生不能に近い状況になってきている。
【００１５】
この現象は、早くから専門家が指摘しながらも、国民が理解したのは、壊滅的な症状を目のあたりに見た、開発後５０年を経ての今日である。今は、この５０年間蓄積してきた技術ストックから、壊滅的な症状を急ぎ手当することが急務である。
【００１６】
本考案は、繊維製蛇篭に炭素繊維製擬似あまも（海藻）を組み込むことで、本来なぎさで行われていた生態系の連鎖を促す水中環境を作り、破壊状態の生物が再生可能な環境へと変えることにある。
【００１７】
即ち、本考案は、繊維製蛇篭網にコンクリート塊を充填して蛇篭を作り、該蛇篭に炭素繊維からなる擬似あまもを組み込んで消波・根固めブロック蛇篭となし、該消波・根固めブロック蛇篭を浚渫窪地や洗堀窪地の埋め戻し資材としたことにより、該炭素繊維製擬似あまもを組み込んだ繊維製蛇篭を浚渫窪地や洗堀窪地の埋め立て資材として用いたり、埋立後の人工あまも場の育成資材として用いて人工藻場を形成し、なぎさの水域の保全を行い、しいては自然な藻場の育成を促し、更に海側の洗堀窪地の進出阻止や青潮の発生を防止可能にするものである。
【００１８】
また、本考案においては、前記擬似あまもを組み込んだ消波・根固めブロック蛇篭を浚渫窪地や洗堀窪地の埋め戻し資材として用いるだけでなく、該浚渫窪地や洗堀窪地の埋め戻し後に埋立岸壁前の潮下帯に沈床防波堤として敷設して人工あまも場を創設する擬似あまもを組み込んだ繊維製蛇篭を提供するものである。
【００１９】
更に、本考案は、繊維製蛇篭網にコンクリート塊を充填して蛇篭を作り、該蛇篭に炭素繊維からなる擬似あまもを組み込んで消波・根固めブロック蛇篭となし、該消波・根固めブロック蛇篭を浚渫窪地や洗堀窪地の埋め戻し資材として用いたり、該消波・根固めブロック蛇篭を埋立護岸まえに広がる浚渫窪地や洗堀窪地の埋め戻し後の潮下帯に沈床防波堤として敷設して人工あまも場を創設する人工あまも場の構築工法を提供するものである。
【実施例】
【００２０】
図１は、本考案の繊維製蛇篭網を用いた消波・根固めブロック蛇篭を説明する側面図、図２は、本考案を実施した人工なぎさの一例を示す断面図である。図１において、１は繊維製蛇篭網、２は繊維製蛇篭網に充填されたコンクリート塊などからなる中込材、３はコンクリート塊などからなる中込材を充填して構成された蛇篭、蛇篭３には繊維製蛇篭網１の底面センターから約１８００ｍｍ上の網目４に約５ｍｍの炭素繊維の組紐５ａ、５ｂ、５ｃ・・・を約１０００ｍｍの長さで５０本束を３０箇所、約３００ｍｍピッチで円周を回る様に織り込み、その上段３００ｍｍ上の網目６に約５ｍｍの炭素繊維の組紐７ａ、７ｂ、７ｃ・・・を約４００ｍｍの長さで５０本束を１５箇所、約５５０ｍｍピッチで円周を回る様に織り込み、その上段３００ｍｍ上の網目８に約５ｍｍの炭素繊維の組紐９ａ、９ｂ、９ｃ・・・を約２００ｍｍの長さで５０本束を１０箇所、約９００ｍｍピッチで円周が回る様に織り込んでおくと、コンクリート塊からなる中込材２を詰めて蛇篭３を据えた時、上面に７５株の組紐５ａ、５ｂ、５ｃ・・・、７ａ、７ｂ、７ｃ・・・、９ａ、９ｂ、ｃ・・・からなるあまも場１０が完成する。
【００２１】
而して、図２は、図１おいて説明したあまも場１０を上部に形成した消波・根固めブロック蛇篭３を人工なぎさに構築した例を示しており、図２において、１０は夫々のあまも場１０を上部に形成した消波・根固めブロック蛇篭３ａ、３ｂ、３ｃ・・・、１１は埋立護岸、１２は埋立護岸１１の直下にできてしまった洗堀窪地、そして該洗堀窪地１２には、砂礫にて埋め戻し１３を行いその上部に砂礫の流出を防ぐ消波・根固めブロック蛇篭３ａが構築されている。また、消波・根固めブロック蛇篭３ｂ、３ｃ・・・などは、何時流失してもおかしくない状況の砂礫地帯１４の上部に構築された例を示しており、更に、消波・根固めブロック蛇篭３ｄは、埋立浚渫工事などで生じてしまい青潮の発生原因とされる浚渫窪地１５を砂礫にて埋め戻し１６を行いその上部に砂礫の流出を防ぐ消波・根固めブロック蛇篭３ｄが構築されている状況を示している。尚、消波・根固めブロック蛇篭３ａ、３ｂ、３ｃ、３ｄ・・・はコンクリート塊などからなる中込材を充填した蛇篭であり、消波・根固めブロック蛇篭３ａ、３ｂ、３ｃ、３ｄ・・・自体を上述した洗堀窪地１２や浚渫窪地１４の埋め戻し材として用いることも可能である。
尚、１７は海面の満潮線、１８は干潮線を示している。
【００２２】
そして、本考案において、夫々のあまも場１０を有する消波・根固めブロック蛇篭３ａ、３ｂ、３ｃ、３ｄ・・・は、潮位変動のある埋立護岸１１の直下より砂礫で藻場ない潮下帯（浅海域）に投下されて、あまも場１０を有する消波・根固めブロック蛇篭３ａ、３ｂ、３ｃ、３ｄ・・・による海底を構築するものであり、該根固めブロック蛇篭３ａ、３ｂ、３ｃ、３ｄ・・・のあまも場１０は、大型海藻の胞子が海を漂う秋口までに設置を完了させれば翌年の春には自然界の藻場の形成が可能になり、毎年藻場の形成密度は高いものになる。
【００２３】
斯くして、本考案は、繊維製蛇篭網にコンクリート塊を充填して蛇篭を作り、該蛇篭に炭素繊維からなる擬似あまもを組み込んで消波・根固めブロック蛇篭となし、該消波・根固めブロック蛇篭にて人工藻場を形成することで、なぎさの水域の保全が可能になり、しいては、自然な藻場の育成を促し、更には海側の洗堀窪地の進出、拡大化を阻止する役割を担うことが可能となった。
【００２４】
海は日本の四方にあって、古来より日本人の共通の心の財産であり、文化と文明を育んできたが、高度経済成長の時代にあって、文明の域でこの５０年間は大いに活躍してきた。この５０年間目に見える活躍の影で、目に見えない影響が進み、今たくさんの問題が顕著に見えてきた。これからは、持続可能な時代へ変化させる必要があり、文化の域で海が活躍することが求められている。人工あまも場と人工なぎさの形成は、本来海が持っている姿を取り戻すために、極端に傷んだ場所に本考案の技術で保全、修復作業を迅速に行うもので、本考案の実施により洗堀窪地の進出、拡大化を阻止するだけでなく、青潮の発生原因を惹起する浚渫窪地の埋立、そして、浚渫窪地周辺の環境保全に大いに役立つ効果がある。
【符号の説明】
【００２５】
１  繊維製蛇篭網
２  コンクリート塊からなる中込材
３、３ａ、３ｂ、３ｃ、３ｄ・・・  蛇篭
４  網目
５ａ、５ｂ、５ｃ・・・  組紐
６  網目
７ａ、７ｂ、７ｃ・・・  組紐
８  網目
９ａ、９ｂ、９ｃ・・・  組紐
１０  あまも場
１１  埋立護岸
１２  洗堀窪地
１３  埋め戻し
１４  砂礫地帯
１５  浚渫窪地
１６  埋め戻し
１７  満潮線
１８  干潮線
【図１】
0003185301.tif 000003
【図２】
0003185301.tif 000004